(57)【要約】【課題】機器の種々の装脱部に簡単に取り付けることができるアクセサリーおよびアクセサリー用取り付け具を提供する。【解決手段】アクセサリー用取り付け具４０は、ケース４２と、回転操作用リング４４と、雄ねじ部材４６などを含んで構成され、回転操作用リング４４と雄ねじ部材４６はケース４２に組み込まれている。ケース４２には、機器の装脱部に装脱可能な機器用装脱部４８と、アクセサリーを取り付けるためのアクセサリー取り付け部５０とが設けられている。機器用装脱部４８を形成するケース４２の箇所に、装脱面５２に直交する方向に延在し装脱面５２の中央に開口する雌ねじ５４が形成されている。回転操作用リング４４の回転操作により雄ねじ部材４６の雄ねじ４６０６が雌ねじ５４に螺合してその先部が装脱面５２から出没する。【選択図】図１３
2008090255.tif 000002
【特許請求の範囲】
【請求項１】
機器の装脱部に装脱されるアクセサリーであって、
前記アクセサリーは、前記機器の装脱部に装脱される機器用装脱部を備え、
前記機器用装脱部は、装脱面を含んで構成され、
前記機器用装脱部に、前記装脱面に開口する雌ねじが形成され、
前記雌ねじに螺合されて回転操作可能に雄ねじ部材が配設され、
前記雄ねじ部材は、前記雄ねじ部材の一方向への回転操作により前記雄ねじ部材の雄ねじの先部が前記雌ねじ内に没入し前記装脱面に前記雌ねじが露出する退避位置となり、前記雄ねじ部材の前記一方向とは逆向きの回転操作により前記雄ねじの先部が前記装脱面から突出した突出位置となる、
ことを特徴とするアクセサリー。
【請求項２】
前記雄ねじ部材を回転操作するための回転操作用リングが設けられ、
前記回転操作用リングは、前記雄ねじ部材の軸心方向に移動不能にかつ前記雄ねじ部材の軸心周りに回転可能に前記ケースで支持され、
前記雄ねじ部材は、前記回転操作用リングに前記雄ねじ部材の軸心方向に移動可能にかつ前記雄ねじ部材の軸心周りに前記回転操作用リングと一体回転可能に結合されている、
ことを特徴とする請求項１記載のアクセサリー。
【請求項３】
前記アクセサリーはアクセサリー本体とアクセサリー用取り付け具を備え、
前記アクセサリー用取り付け具に、前記機器用装脱部と、前記アクセサリー用取り付け具を前記アクセサリー本体に取り付けるためのアクセサリー取り付け部とがそれぞれ設けられている、
ことを特徴とする請求項１記載のアクセサリー。
【請求項４】
前記アクセサリー取り付け部は前記アクセサリー本体に一体に設けられている、
ことを特徴とする請求項３記載のアクセサリー。
【請求項５】
前記機器用装脱部は、前記雌ねじが形成され前記雌ねじの軸心方向に延在する中央壁部と、前記中央壁部の延在方向の端部の両側から同一の厚さでそれぞれ側方に突出する２つの突出壁部とを有し、
前記装脱面は、前記雌ねじが開口する前記中央壁部の端面と前記２つの突出壁部の厚さ方向の一方の面により構成されており、
前記２つの突出壁部の厚さ方向の他方の面は、前記装脱面と反対の方向を向いて互いに平行する方向に延在する係合面として形成され、
前記２つの突出壁部の突出方向の先端は、前記装脱面と直交し互いに平行しつつ延在するガイド面として形成されている、
ことを特徴とする請求項１記載のアクセサリー。
【請求項６】
アクセサリー用取り付け具であって、
前記アクセサリー用取り付け具は、ケースと、前記ケースに組み込まれた回転操作用リングと、前記ケースに組み込まれた雄ねじ部材とを備え、
前記ケースの互いに反対に位置する箇所に、電子機器や三脚などの機器の装脱部に装脱可能な機器用装脱部と、アクセサリーを取り付けるためのアクセサリー取り付け部とがそれぞれ設けられ、
前記機器用装脱部は、該機器用装脱部と前記アクセサリー取り付け部とを結ぶ方向に対して直交する面上を延在する装脱面を含んで構成され、
前記機器用装脱部を形成する前記ケースの箇所に、前記装脱面に直交する方向に延在し前記装脱面に開口する雌ねじが形成され、
前記ケースの内部の箇所に前記雌ねじに連通する空間が設けられ、
前記回転操作用リングは、その中央部を前記空間に位置させて前記雌ねじの軸心方向に移動不能にかつ前記雌ねじの軸心周りに回転可能に前記ケースで支持されて配設され、
前記雄ねじ部材は、前記空間にその長手方向の一部が前記回転操作用リングの中央部に前記雌ねじの軸心方向に移動可能にかつ前記雌ねじの軸心周りに前記回転操作用リングと一体回転可能に結合されて前記雌ねじの軸心上に配設され、
前記雄ねじ部材は、前記回転操作用リングの一方向への回転操作により前記雄ねじ部材の雄ねじが前記雌ねじから退避した退避位置となり、前記回転操作用リングの一方向とは逆向きの他方向への回転操作により前記雄ねじ部材の雄ねじが前記雌ねじに螺合してその先部が前記装脱面から突出した突出位置となる、
ことを特徴とするアクセサリー用取り付け具。
【請求項７】
前記空間に、前記雄ねじ部材が前記突出位置に位置した状態で前記雄ねじ部材を前記退避位置に向かう方向に付勢するスプリングが設けられている、
ことを特徴とする請求項６記載のアクセサリー用取り付け具。
【請求項８】
前記退避位置は、前記雄ねじの先端が、前記装脱面と反対に位置する雌ねじの端部に螺合した前記雄ねじ部材の位置である、
ことを特徴とする請求項６記載のアクセサリー用取り付け具。
【請求項９】
前記空間に、前記雄ねじ部材に当接し前記突出位置から前記退避位置に向かう方向において前記雄ねじ部材に当接し前記退避位置を決定するストッパが設けられている、
ことを特徴とする請求項６記載のアクセサリー用取り付け具。
【請求項１０】
前記雌ねじの軸心と直交する方向において互いに反対に位置する前記ケースの外面の箇所にそれぞれ前記雌ねじの軸心に近づく方向に窪んだ凹部が設けられ、
前記回転操作用リングの外周部はそれらの凹部から前記ケースの外方に露出している、
ことを特徴とする請求項６記載のアクセサリー用取り付け具。
【請求項１１】
前記雄ねじ部材は断面が非円形の軸部を有し、前記雄ねじは前記軸部と同軸上に設けられ、
前記回転操作用リングの中心には、前記回転操作用リングが前記軸部と一体に回転しかつ前記軸部が前記雌ねじの軸心方向に移動可能に係合される係合孔が形成されている、
ことを特徴とする請求項６記載のアクセサリー用取り付け具。
【請求項１２】
前記装脱面は矩形を呈し、
前記機器用装脱部は、前記装脱面と、前記装脱面の互いに対向する２組の辺の一方の組の２つの辺から直角に起立する１対の側面と、前記一対の側面のそれぞれに前記一方の組の辺と平行する方向に延在し前記２組の辺の他方の組の２つの辺から直角に起立する一対の側面に貫通する凹溝とを含んで構成されている、
ことを特徴とする請求項６記載のアクセサリー用取り付け具。
【請求項１３】
前記雄ねじ部材の長さ方向の中間部に前記雄ねじよりも大径の大径部が設けられ、
前記ケースに、前記大径部の前記雄ねじ寄りの端部に係止し前記雄ねじ部材の先部が前記装脱面から最も突出した最大突出位置を決定する係止部が設けられている、
ことを特徴とする請求項１記載のアクセサリー。
【請求項１４】
機器の装脱部に装脱されるアクセサリーであって、
前記アクセサリーはアクセサリー本体とアクセサリー用取り付け具を備え、
前記アクセサリー用取り付け具は、ケースと、前記ケースに組み込まれた回転操作用リングと、前記ケースに組み込まれた雄ねじ部材とを備え、
前記ケースの互いに反対に位置する箇所に、前記装脱部に装脱可能な機器用装脱部と、前記アクセサリー本体に取り付けられたアクセサリー取り付け部とがそれぞれ設けられ、
前記機器用装脱部は、該機器用装脱部と前記アクセサリー取り付け部とを結ぶ方向に対して直交する面上を延在する装脱面を含んで構成され、
前記機器用装脱部を形成する前記ケースの箇所に、前記装脱面に直交する方向に延在し前記装脱面に開口する雌ねじが形成され、
前記ケースの内部の箇所に前記雌ねじに連通する空間が設けられ、
前記回転操作用リングは、その中央部を前記空間に位置させて前記雌ねじの軸心方向に移動不能にかつ前記雌ねじの軸心周りに回転可能に前記ケースで支持されて配設され、
前記雄ねじ部材は、前記空間にその長手方向の一部が前記回転操作用リングの中央部に前記雌ねじの軸心方向に移動可能にかつ前記雌ねじの軸心周りに前記回転操作用リングと一体回転可能に結合されて前記雌ねじの軸心上に配設され、
前記雄ねじ部材は、前記回転操作用リングの一方向への回転操作により前記雄ねじ部材の雄ねじが前記雌ねじから退避した退避位置となり、前記回転操作用リングの一方向とは逆向きの他方向への回転操作により前記雄ねじ部材の雄ねじが前記雌ねじに螺合してその先部が前記装脱面から突出した突出位置となる、
ことを特徴とするアクセサリー。
【請求項１５】
機器の装脱部に装脱されるアクセサリーであって、
前記アクセサリーはアクセサリー本体に一体化されたアクセサリー用取り付け具を備え、
前記アクセサリー用取り付け具は、ケースと、前記ケースに組み込まれた回転操作用リングと、前記ケースに組み込まれた雄ねじ部材とを備え、
前記アクセサリー本体に一体化された前記ケースの箇所と互いに反対に位置する箇所に、前記装脱部に装脱可能な機器用装脱部が設けられ、
前記機器用装脱部は、前記アクセサリー本体に一体化された前記ケースの箇所と前記機器用装脱部とを結ぶ方向に対して交差する面上を延在する装脱面を含んで構成され、
前記機器用装脱部を形成する前記ケースの箇所に、前記装脱面に直交する方向に延在し前記装脱面に開口する雌ねじが形成され、
前記ケースの内部の箇所に前記雌ねじに連通する空間が設けられ、
前記回転操作用リングは、その中央部を前記空間に位置させて前記雌ねじの軸心方向に移動不能にかつ前記雌ねじの軸心周りに回転可能に前記ケースで支持されて配設され、
前記雄ねじ部材は、前記空間にその長手方向の一部が前記回転操作用リングの中央部に前記雌ねじの軸心方向に移動可能にかつ前記雌ねじの軸心周りに前記回転操作用リングと一体回転可能に結合されて前記雌ねじの軸心上に配設され、
前記雄ねじ部材は、前記回転操作用リングの一方向への回転操作により前記雄ねじ部材の雄ねじが前記雌ねじから退避した退避位置となり、前記回転操作用リングの一方向とは逆向きの他方向への回転操作により前記雄ねじ部材の雄ねじが前記雌ねじに螺合してその先部が前記装脱面から突出した突出位置となる、
ことを特徴とするアクセサリー。
【発明の詳細な説明】
【技術分野】
【０００１】
本発明は機器に取り付けられて使用されるアクセサリーおよびアクセサリー用取り付け具に関する。
【背景技術】
【０００２】
デジタルカメラやビデオカメラなどの撮像装置に使用されるアクセサリーとして、例えば、補助光を発光するためのフラッシュライトや音声を収録するためのマイクなどが挙げられる。これらアクセサリーは撮像装置などの機器に取り付けて使用される他、例えば、グリップや三脚などの機器にも取り付けて使用される場合がある。
これらアクセサリーは、アクセサリーに設けられた機器用装脱部が、機器に設けられた装脱部に取着されことでそれら機器に装脱可能に装着される。
従来、このような装脱部の構造として次に示すようなものが提供されている。
１）装脱部がアクセサリーシューで構成されている。アクセサリーシューは、板金が屈曲形成され上方に開放された断面コ字状を呈し、板金の両側の上縁部が互いに近接する方向に屈曲されている。機器用装脱部は前記板金の両側の上縁部に係合する溝部が形成され、溝部に上縁部を挿入して係合することで取り付けがなされる（特許文献１参照）。
２）装脱部が雌ねじで構成され、機器用装脱部が前記雌ねじに螺合する雄ねじで構成され、雌ねじと雄ねじを螺合することで取り付けがなされる。
３）装脱部が雄ねじで構成され、機器用装脱部が前記雄ねじに螺合する雌ねじで構成され、雄ねじと雌ねじを螺合することで取り付けがなされる。
【特許文献１】特開平９−２４７５１１号公報
【発明の開示】
【発明が解決しようとする課題】
【０００３】
このように装脱部の構造が複数種類存在していることから、互いに装脱部の構造が対応しない取り付け機器にアクセサリーを取り付けて使用しようとする場合には、例えば、装脱部が雌ねじで構成され、機器用装脱部がアクセサリーシュー用である場合には、取り付け機器側の雌ねじに螺合する雄ねじと、アクセサリーシューとが設けられた専用のアダプターを用いる必要がある。
したがって、装脱部の構造が対応しない機器にアクセサリーを取り付けて使用しようとする場合には、アダプターを用いることからアクセサリーの装着作業が煩雑となるばかりでなく、アダプターのコストが発生し、また、種々のアダプターを紛失しないように管理するにも手間を要し、使い勝手に劣るものであった。
本発明はこのような事情に鑑みなされたものであり、その目的は、アダプターを用いることなく取り付け機器側の種々の装脱部に簡単に取り付けることができるアクセサリーおよびアクセサリー用取り付け具を提供することにある。
【課題を解決するための手段】
【０００４】
上述の目的を達成するため、本発明は、機器の装脱部に装脱されるアクセサリーであって、前記アクセサリーは、前記機器の装脱部に装脱される機器用装脱部を備え、前記機器用装脱部は、装脱面を含んで構成され、前記機器用装脱部に、前記装脱面に開口する雌ねじが形成され、前記雌ねじに螺合されて回転操作可能に雄ねじ部材が配設され、前記雄ねじ部材は、前記雄ねじ部材の一方向への回転操作により前記雄ねじ部材の雄ねじの先部が前記雌ねじ内に没入し前記装脱面に前記雌ねじが露出する退避位置となり、前記雄ねじ部材の前記一方向とは逆向きの回転操作により前記雄ねじの先部が前記装脱面から突出した突出位置となることを特徴とする。
また本発明は、アクセサリー用取り付け具であって、前記アクセサリー用取り付け具は、ケースと、前記ケースに組み込まれた回転操作用リングと、前記ケースに組み込まれた雄ねじ部材とを備え、前記ケースの互いに反対に位置する箇所に、電子機器や三脚などの機器の装脱部に装脱可能な機器用装脱部と、アクセサリーを取り付けるためのアクセサリー取り付け部とがそれぞれ設けられ、前記機器用装脱部は、該機器用装脱部と前記アクセサリー取り付け部とを結ぶ方向に対して直交する面上を延在する装脱面を含んで構成され、前記機器用装脱部を形成する前記ケースの箇所に、前記装脱面に直交する方向に延在し前記装脱面に開口する雌ねじが形成され、前記ケースの内部の箇所に前記雌ねじに連通する空間が設けられ、前記回転操作用リングは、その中央部を前記空間に位置させて前記雌ねじの軸心方向に移動不能にかつ前記雌ねじの軸心周りに回転可能に前記ケースで支持されて配設され、前記雄ねじ部材は、前記空間にその長手方向の一部が前記回転操作用リングの中央部に前記雌ねじの軸心方向に移動可能にかつ前記雌ねじの軸心周りに前記回転操作用リングと一体回転可能に結合されて前記雌ねじの軸心上に配設され、前記雄ねじ部材は、前記回転操作用リングの一方向への回転操作により前記雄ねじ部材の雄ねじが前記雌ねじから退避した退避位置となり、前記回転操作用リングの一方向とは逆向きの他方向への回転操作により前記雄ねじ部材の雄ねじが前記雌ねじに螺合してその先部が前記装脱面から突出した突出位置となることを特徴とする。
また本発明は、機器の装脱部に装脱されるアクセサリーであって、前記アクセサリーはアクセサリー本体とアクセサリー用取り付け具を備え、前記アクセサリー用取り付け具は、ケースと、前記ケースに組み込まれた回転操作用リングと、前記ケースに組み込まれた雄ねじ部材とを備え、前記ケースの互いに反対に位置する箇所に、前記装脱部に装脱可能な機器用装脱部と、前記アクセサリー本体に取り付けられたアクセサリー取り付け部とがそれぞれ設けられ、前記機器用装脱部は、該機器用装脱部と前記アクセサリー取り付け部とを結ぶ方向に対して直交する面上を延在する装脱面を含んで構成され、前記機器用装脱部を形成する前記ケースの箇所に、前記装脱面に直交する方向に延在し前記装脱面に開口する雌ねじが形成され、前記ケースの内部の箇所に前記雌ねじに連通する空間が設けられ、前記回転操作用リングは、その中央部を前記空間に位置させて前記雌ねじの軸心方向に移動不能にかつ前記雌ねじの軸心周りに回転可能に前記ケースで支持されて配設され、前記雄ねじ部材は、前記空間にその長手方向の一部が前記回転操作用リングの中央部に前記雌ねじの軸心方向に移動可能にかつ前記雌ねじの軸心周りに前記回転操作用リングと一体回転可能に結合されて前記雌ねじの軸心上に配設され、前記雄ねじ部材は、前記回転操作用リングの一方向への回転操作により前記雄ねじ部材の雄ねじが前記雌ねじから退避した退避位置となり、前記回転操作用リングの一方向とは逆向きの他方向への回転操作により前記雄ねじ部材の雄ねじが前記雌ねじに螺合してその先部が前記装脱面から突出した突出位置となることを特徴とする。
また本発明は、機器の装脱部に装脱されるアクセサリーであって、前記アクセサリーはアクセサリー本体に一体化されたアクセサリー用取り付け具を備え、前記アクセサリー用取り付け具は、ケースと、前記ケースに組み込まれた回転操作用リングと、前記ケースに組み込まれた雄ねじ部材とを備え、前記アクセサリー本体に一体化された前記ケースの箇所と互いに反対に位置する箇所に、前記装脱部に装脱可能な機器用装脱部が設けられ、前記機器用装脱部は、前記アクセサリー本体に一体化された前記ケースの箇所と前記機器用装脱部とを結ぶ方向に対して交差する面上を延在する装脱面を含んで構成され、前記機器用装脱部を形成する前記ケースの箇所に、前記装脱面に直交する方向に延在し前記装脱面に開口する雌ねじが形成され、前記ケースの内部の箇所に前記雌ねじに連通する空間が設けられ、前記回転操作用リングは、その中央部を前記空間に位置させて前記雌ねじの軸心方向に移動不能にかつ前記雌ねじの軸心周りに回転可能に前記ケースで支持されて配設され、前記雄ねじ部材は、前記空間にその長手方向の一部が前記回転操作用リングの中央部に前記雌ねじの軸心方向に移動可能にかつ前記雌ねじの軸心周りに前記回転操作用リングと一体回転可能に結合されて前記雌ねじの軸心上に配設され、前記雄ねじ部材は、前記回転操作用リングの一方向への回転操作により前記雄ねじ部材の雄ねじが前記雌ねじから退避した退避位置となり、前記回転操作用リングの一方向とは逆向きの他方向への回転操作により前記雄ねじ部材の雄ねじが前記雌ねじに螺合してその先部が前記装脱面から突出した突出位置となることを特徴とする。
ことを特徴とする。
【発明の効果】
【０００５】
本発明のアクセサリーおよびアクセサリー用取り付け具は、雌ねじと、雄ねじ部材とを用いて構成されているので、複数種類の装脱部に対してアダプターを用いることなくアクセサリーを装脱できる。
【発明を実施するための最良の形態】
【０００６】
（第１の実施の形態）
次に本発明の実施の形態について図面を参照して説明する。
本実施の形態では、アクセサリーが４種類の装脱部に装着される場合について説明する。
図１は装脱部の一例を示すビデオカメラ１０の斜視図、図２は図１のビデオカメラ１０の装脱部２２の斜視図である。
図１、図２に示す例では、本発明のアクセサリーがビデオカメラに装着され、ビデオカメラ１０は外装を構成するケース１２を有し、ケース１２の前部に鏡筒１４が設けられ、ケース１２の後部にビューファインダー装置１６が設けられ、ケース１２の上部の前後にわたってハンドル１８が設けられ、ハンドル１８にマイクロフォン２０が設けられている。
ハンドル１８のマイクロフォン２０寄りの箇所にアクセサリーが装脱される装脱部２２が設けられている。
図２に示すように、装脱部２２はアクセサリーシューを構成しており、ハンドル１８の上面に取着された矩形状の底板２２Ａと、底板２２Ａの両側から起立された２つの側板２２Ｂと、各側板２２Ｂの上端から互いに近接する方向に屈曲され底板２２Ａと平行する２つの係合板２２Ｃとを含んで構成され、２つの係合板２２Ｃの延在方向の一方が開放され、他方は壁部２２Ｄによって閉塞されている。
【０００７】
図３は装脱部の他の例を示すビデオカメラ２４の斜視図、図４は図３のビデオカメラ２４の装脱部２６の斜視図である。
図３に示すようにビデオカメラ２４も図１のビデオカメラ１０と同様に、ケース１２、鏡筒１４、ビューファインダー装置１６、ハンドル１８、マイクロフォン２０を備えている。
マイクロフォン２０を構成するケース２１の上部にアクセサリーが装脱される装脱部２６が設けられている。
図４に示すように、装脱部２６は、ケース２１の上面から膨出形成された矩形板状の台座２６Ａを備え、台座２６Ａの上面２６０２は平坦面で形成され、上面２６０２の中央に上面２６０２に直交する方向に雌ねじ２６Ｂが形成されている。なお、台座２６Ａの両側面にはアダプター取り付け用の係合溝２６Ｃが形成されている。
【０００８】
図５は装脱部の他の例を示す三脚３０の斜視図である。
図５に示すように、三脚２８は、３つの脚部２８Ａと、各脚部２８Ａの上端を連結する連結部２８Ｂと、連結部２８Ｂの上部に揺動可能に連結された雲台２８Ｃと、雲台２８Ｃの揺動を操作するとともに雲台２８Ｃの揺動をロックする操作棒２８Ｄとを含んで構成されている。
雲台２８Ｃには、アクセサリーや各種の電子機器を装脱するための装脱部３０が設けられている。
装脱部３０は、平坦な取り付け面３０Ａとねじ部材３０Ｂを含んで構成されている。
ねじ部材３０Ｂは、雲台２８Ｃの下方にその頭部３０Ｃが位置し、取り付け面３０Ａの中央から上方に雄ねじ３０Ｄが突出した状態で雲台２８Ｃに回転可能かつ抜落不能に支持されている。
【０００９】
図６は装脱部の他の例を示すグリップ３２の斜視図である。
図６に示すように、グリップ３２は、手で把持する柱状に形成された本体３２Ａを有し、本体３２Ａの上部には、アクセサリーや各種の電子機器を装脱するための装脱部３４が設けられている。
装脱部３４は、平坦な取り付け面３２Ｂとねじ部材３４Ａを含んで構成されている。
ねじ部材３４Ａは、本体３２Ａの両側にその頭部３４Ｃが露出するように回転可能に本体３２Ａに支持されており、ねじ部材３４Ａの雄ねじ３４Ｂは、取り付け面３２Ｂの中央から上方に突出している。
【００１０】
次に、本発明に係るアクセサリーおよびアクセサリー用取り付け具について説明する。
図７はアクセサリーがマイクロフォン７０（アクセサリー本体がマイクロフォン７０）でこのマイクロフォン７０が撮像装置２４に装着された状態を示す図、図８はアクセサリーがビデオライト７２（アクセサリー本体がビデオライト７２）でこのビデオライト７２がグリップ３２に装着された状態を示す図である。
図９、図１０はアクセサリー用取り付け具４０の斜視図、図１１はアクセサリー用取り付け具４０の分解斜視図である。
図１２は雄ねじ部材４６が退避位置にある状態を示すアクセサリー用取り付け具４０の断面図、図１３は雄ねじ部材４６が退避位置と突出位置の中間位置にある状態を示すアクセサリー用取り付け具４０の断面図、図１４は雄ねじ部材４６が突出位置にある状態を示すアクセサリー用取り付け具４０の断面図である。
図１５は雄ねじ部材４６が退避位置にある状態を示すアクセサリー用取り付け具４０の斜視図、１６は雄ねじ部材４６が退避位置と突出位置の中間位置にある状態を示すアクセサリー用取り付け具４０の斜視図、図１７は雄ねじ部材４６が突出位置にある状態を示すアクセサリー用取り付け具４０の斜視図である。
【００１１】
図９乃至図１１に示すように、アクセサリー用取り付け具４０は、ケース４２と、回転操作用リング４４と、雄ねじ部材４６などを含んで構成され、回転操作用リング４４と雄ねじ部材４６はケース４２に組み込まれている。
ケース４２には、ケース４２の互いに反対に位置する箇所に、電子機器や三脚などの機器の装脱部に装脱可能な機器用装脱部４８と、マイクロフォン７０やビデオライト７２などのアクセサリーを取り付けるためのアクセサリー取り付け部５０とがそれぞれ設けられている。
本実施の形態では、電子機器や三脚などの機器の装脱部は、図１、図２に示すビデオカメラ１０の装脱部２２、図３、図４に示すビデオカメラ２４の装脱部２６、図５に示す三脚２８の装脱部３０、図６に示すグリップ３２の装脱部３４である。
【００１２】
機器用装脱部４８は、該機器用装脱部４８とアクセサリー取り付け部５０とを結ぶ方向に対して直交する面上を延在する平坦な装脱面５２を含んで構成されている。
本実施の形態では、装脱面５２は矩形を呈している。
そして、機器用装脱部４８は、図９に示すように、装脱面５２と、装脱面５２の互いに対向する２組の辺の一方の組の２つの辺から直角に起立する１対の側面５３０２と、一対の側面５３０２のそれぞれに前記一方の組の辺と平行する方向に延在し前記２組の辺の他方の組の２つの辺から直角に起立する一対の側面５３０４に貫通する凹溝５３０６とを含んで構成されている。
機器用装脱部４８を形成するケース４２の箇所に、装脱面５２に直交する方向に延在し装脱面５２の中央に開口する雌ねじ５４が形成されている。
【００１３】
図１２乃至図１４に示すように、ケース４２の内部の箇所に雌ねじ５４に連通する空間５６が設けられている。
回転操作用リング４４は、その中央部を空間５６に位置させて雌ねじ５４の軸心方向に移動不能にかつ雌ねじ５４の軸心周りに回転可能にケース４２で支持されて配設されている。
本実施の形態では、図１２に示すように、ケース４２の円筒壁４２０２と回転操作用リング４４の内周部の凹部４４０２とが回転可能に結合されており、これにより回転操作用リング４４は、雌ねじ５４の軸心周りに回転可能にケース４２で支持されている。
図９、図１２に示すように、雌ねじ５４の軸心と直交する方向において互いに反対に位置するケース４２の外面の箇所にそれぞれ雌ねじ５４の軸心に近づく方向に窪んだ凹部４２０４が設けられ、回転操作用リング４４の外周部はそれらの凹部４２０４からケース４２の外方に露出し、回転操作ができるように構成されている。
【００１４】
雄ねじ部材４６は、空間５６にその長手方向の一部が回転操作用リング４４の中央部に雌ねじ５４の軸心方向に移動可能にかつ雌ねじ５４の軸心周りに回転操作用リング４４と一体回転可能に結合されて雌ねじ５４の軸心上に配設されている。
雄ねじ部材４６は、図１１に示すように、円盤状の頭部４６０２と、頭部４６０２から突出する断面が小判形状（非円形）の軸部４６０４と、軸部４６０４と同軸上に設けられた雄ねじ４６０６とを有している。
本実施の形態では、回転操作用リング４４の中心に、回転操作用リング４４が軸部４６０４と一体に回転しかつ軸部４６０４が雌ねじ５４の軸心方向に移動可能に係合される断面が小判形状（非円形）の係合孔４４０２が形成され、軸部４６０４がこの係合孔４４０２に結合されることで、雄ねじ部材４６は、雌ねじ５４の軸心方向に移動可能にかつ雌ねじ５４の軸心周りに回転操作用リング４４と一体回転可能に結合されている。
【００１５】
雄ねじ部材４６は、図１２、図１５に示すように、回転操作用リング４４の一方向への回転操作により雄ねじ部材４６の雄ねじ４６０６が雌ねじ５４から退避した退避位置となる。
この退避位置は、雄ねじ４６０６の先端が、装脱面５２と反対に位置する雌ねじ５４の端部に螺合した雄ねじ部材４６の位置である。
また、雄ねじ部材４６は、図１４、図１７に示すように、回転操作用リング４４の一方向とは逆向きの他方向への回転操作により雄ねじ部材４６の雄ねじ４６０６が雌ねじ５４に螺合してその先部が装脱面５２から突出した突出位置となる。
【００１６】
本実施の形態では、空間５６に、雄ねじ部材４６が前記突出位置に位置した状態で雄ねじ部材４６を前記退避位置に向かう方向に付勢するコイルスプリング６０が設けられている。
コイルスプリング６０は、軸部４６０４の周囲に設けられ、図１４に示すように、雄ねじ部材４６が前記突出位置に位置すると、雄ねじ部材４６の頭部４６０２と回転操作用リング４４のフランジとにより圧縮され雄ねじ部材４６を前記退避位置に向かう方向に付勢する。
また、本実施の形態では、図１２に示すように、空間５６に、雄ねじ部材４６に当接し前記突出位置から前記退避位置に向かう方向において雄ねじ部材４６に当接し前記退避位置を決定するストッパ６２が設けられている。
このストッパ６２は、雌ねじ５４に対向する空間５６の奥部のケース４２の壁面で構成されている。
なお、ケース４２は図１５乃至図１７に示すように、回転用操作リング４４が配設される箇所において上下に分割された上分割体４２３０と下分割体４２３２とがねじにより結合されて構成されている。なお、図１５において符号４２３４は上分割体４２３０と下分割体４２３２の合わせ面を示す。
【００１７】
アクセサリー取付部５０は、図９に示すように、互いに対向するフランジ５００２と、それらフランジ５００２に同軸上に設けられたボルト挿通孔５００４などを含んで構成されている。
なお、アクセサリー取付部５０の構成は、マイクロフォン７０やビデオライト７２などのアクセサリーの種類に応じて種々の構成が採用されており、このようなアクセサリー取付部５０の構成には従来公知の様々な構造が採用可能である。
また、アクセサリー用取り付け具４０は、図７に示すように、アクセサリーが例えばマイクロフォン７０である場合に、マイクロフォン本体（マイクロフォン７０のケース、言い換えるとアクセサリー本体）に予め一体化されていてもよい。この場合には、アクセサリー取付部５０が省略される。詳細に説明すると、アクセサリー用取り付け具４０がマイクロフォン本体（アクセサリー本体）に一体化されたケース４２の箇所と互いに反対に位置する箇所に、装脱部２６に装脱可能な機器用装脱部４８が設けられる。そして、機器用装脱部４８は、マイクロフォン本体（アクセサリー本体）に一体化されたケース４２の箇所と機器用装脱部４８とを結ぶ方向に対して交差する面上を延在する装脱面５２を含んで構成されることになる。その他の構成は、アクセサリーと別体に設けられるアクセサリー用取り付け具４０の構成と同様である。
【００１８】
次に、本実施の形態のアクセサリーの使用方法について説明する。
まず、図７を参照して、図３、図４に示す装脱部２６にアクセサリーであるマイクロフォン７０を装着する場合について説明する。
この場合は、予め、図１２、図１５に示すように、雄ねじ部材４６を退避位置に位置させておき、その状態で機器用装脱部４８の装脱面５２を、図４に示す装脱部２６の台座２６Ａの上面２６０２に当て付ける。
次いで、図１４、図１７に示すように、回転操作用リング４４を他方向へ回転操作する。これにより、雄ねじ部材４６は突出位置に向けて回転しつつ移動し、雄ねじ４６０６が装脱部２６の雌ねじ２６Ｂに螺合する。さらに、回転操作用リング４４を他方向へ回転操作し、雄ねじ４６０６を回転させることで、台座２６Ａの上面２６０２と機器用装脱部４８の装脱面５２とを締結する。
これにより、図７に示すように、アクセサリーであるマイクロフォン７０が装脱部２６に取り付けられる。
アクセサリーを装脱部２６から取り外す場合には、回転操作用リング４４を一方向へ回転操作する。これにより、雄ねじ部材４６は突出位置から退避位置に向けて回転しつつ移動し、雄ねじ４６０６が雌ねじ２６Ｂから外れ、マイクロフォン７０が装脱部２６から取り外される。
【００１９】
次に、図８を参照して、図６に示す装脱部３４にアクセサリーであるビデオライト７２を装着する場合について説明する。
この場合は、予め、図１２、図１５に示すように、雄ねじ部材４６を退避位置に位置させておき、雌ねじ５４を雄ねじ３４Ｂの先端に当て付け、その状態でグリップ３２のリング３４Ｃを一方向に回転させることで、雄ねじ３４Ｂを雌ねじ５４に螺合する。
これにより、装脱部３４の取り付け面３２Ｂに機器用装脱部４８の装脱面５２が当て付けられ、装脱部３４に機器用装脱部４８が締結される。
これにより、図８に示すように、アクセサリーであるビデオライト７２が装脱部３４に取り付けられる。
アクセサリーを装脱部３４から取り外す場合には、グリップ３２のリング３４Ｃを反対方向へ回転操作することにより、雌ねじ５４から雄ねじ３４Ｂを外す。これにより、ビデオライト７２が装脱部３４から取り外される。
なお、アクセサリーを、図５に示す雄ねじ３０Ｄを有する装脱部３０を備えた三脚２８に装脱する場合についても上記と同様であり、雄ねじ３０Ｄを雌ねじ５４に螺合し、また、その螺合を解除すればよい。
【００２０】
次に、図１、図２に示す装脱部２２にアクセサリーを装着する場合について説明する。
この場合は、予め、図１２、図１５に示すように、雄ねじ部材４６を退避位置に位置させておき、その状態で機器用装脱部４８を、図２に示す装脱部２２の２つの係合板２２Ｃの間に挿入し、機器用装脱部４８の凹溝５３０６に係合板２２Ｃの先端を係合させ、機器用装脱部４８を壁部２２Ｄに当て付ける。
次いで、図１３、図１６に示すように、回転操作用リング４４を他方向へ回転操作して雄ねじ部材４６の雄ねじ４６０６の先部を装脱面５２から突出する方向に移動させ、雄ねじ４６０６の先部を装脱部２２の底板２２Ａの上面に押圧させる。
これにより、装脱部２２の係合板２２Ｃと機器用装脱部４８の凹溝５３０６とが係合され、装脱部２２と機器用装脱部４８の係合がロックされ、アクセサリーが装脱部２２に取り付けられる。
アクセサリーを装脱部２２から取り外す場合には、回転操作用リング４４の一方向への回転操作により、雄ねじ部材４６を退避位置方向に移動させて前記ロックを解除し、装脱部２２の係合板２２Ｃから機器用装脱部４８の凹溝５３０６を外せばよい。
【００２１】
以上説明したように本実施の形態は、機器の装脱部に装脱されるアクセサリーであって、アクセサリーは、機器の装脱部に装脱される機器用装脱部４８を備え、機器用装脱部４８は、装脱面５２を含んで構成され、機器用装脱部４８に、装脱面５２に開口する雌ねじ５４が形成され、雌ねじ５４に螺合されて回転操作可能に雄ねじ部材４６が配設され、雄ねじ部材４６は、雄ねじ部材４６の一方向への回転操作により雄ねじ部材４６の雄ねじ４６０６の先部が雌ねじ５４内に没入し装脱面５２に雌ねじ５４が露出する退避位置となり、雄ねじ部材４６の一方向とは逆向きの回転操作により雄ねじ４６０６の先部が装脱面５２から突出した突出位置となるように構成されている。
したがって、本実施の形態の機器用装脱部４８は、雌ねじ５４と、雄ねじ部材４６とを用いて構成されているので、複数種類の装脱部に対してアダプターを用いることなくアクセサリーを装脱できる。
したがって、アクセサリーの装脱作業を簡単化でき、従来のようなアダプターのコストの上昇を抑制し、また、種々のアダプターを紛失しないように管理する手間を省け、アクセサリーの使い勝手を向上する上で有利となる。
【００２２】
（第２の実施の形態）
次に第２の実施の形態について説明する。
図１８は雄ねじ部材４６が退避位置にある状態を示すアクセサリー用取り付け具４０の断面図、図１９は雄ねじ部材４６が退避位置と突出位置の中間位置にある状態を示すアクセサリー用取り付け具４０の断面図、図２０は雄ねじ部材４６が突出位置にある状態を示すアクセサリー用取り付け具４０の断面図である。
第２の実施の形態は、雄ねじ部材４６および機器用装脱部４８の一部の形状が第１の実施の形態と異なっており、その他の部分は第１の実施の形態と同様である。したがって、以下では第１の実施の形態と同様の部分には同一の符号を付してその説明を省略する。
【００２３】
図１８乃至図２０に示すように、アクセサリー用取り付け具４０は、第１の実施の形態と同様に、ケース４２と、回転操作用リング４４と、雄ねじ部材４６などを含んで構成され、回転操作用リング４４と雄ねじ部材４６はケース４２に組み込まれている。
ケース４２には、電子機器や三脚などの機器の装脱部に装脱可能な機器用装脱部４８と、図７、図８に示すマイクロフォン７０やビデオライト７２などのアクセサリーを取り付けるためのアクセサリー取り付け部５０とがそれぞれ設けられている。
【００２４】
また、機器用装脱部４８は、装脱面５２と、凹部５３２０とを含んで構成されている。
詳細には、装脱面５２は矩形を呈し、装脱面５２の互いに対向する箇所で装脱面５２の近傍のケース４２の箇所に互いに平行して延在する凹部５３２０が設けられ、この凹部５３２０により装脱面５２を含むケース４２の壁部に装脱面５２と離れた方向に向いた係合面５３２２が形成されている。
そして、雌ねじ５４が、機器用装脱部４８を形成するケース４２の箇所に、装脱面５２に直交する方向に延在し装脱面５２の中央に開口するように形成されている。
言い換えると、機器用装脱部４８は、雌ねじ５４が形成され雌ねじ５４の軸心方向に延在する中央壁部５３３０と、中央壁部５３３０の延在方向の端部の両側から同一の厚さでそれぞれ側方に突出する２つの突出壁部５３３２とを有している。
装脱面５２は、雌ねじ５４が開口する中央壁部５３３０の端面と２つの突出壁部５３３２の厚さ方向の一方の面により構成されている。
２つの突出壁部５３３２の厚さ方向の他方の面は、装脱面５２と反対の方向を向いて互いに平行する方向に延在する係合面５３２２として形成されている。
２つの突出壁部５３３２の突出方向の先端は、装脱面５２と直交し互いに平行しつつ延在するガイド面５３３４として形成されている。
なお、装脱面５２は矩形に限定されるものではなく、さまざまな形状が採用可能である。
【００２５】
図１８（または図１２）に示すように、雄ねじ部材４６の退避位置で、装脱面５２に露出する雌ねじ５４の装脱面５２からの深さは、前記機器に設けられたカメラ取り付けねじ（図５、図６に示すカメラを取り付けるための雄ねじ３０Ｄ、３４Ｂ）が雌ねじ５４に螺合しアクセサリーが前記機器の装脱部に支持されるに足る寸法である。
従来から知られているように、国際標準化機構の規格（ＩＳＯ１２２２）によってカメラ取り付けねじ８０の長さは４．５ｍｍ±０．２ｍｍであることが定められている。
したがって、カメラ取り付けねじ８０が螺合される雌ねじ５４の深さは、当然のことながら前記規格（ＩＳＯ１２２２）で定められた最大値である４．７ｍｍ以上を満たしている必要がある。
【００２６】
また、雄ねじ部材４６は、第１の実施の形態と同様に、空間５６にその長手方向の一部が回転操作用リング４４の中央部に雌ねじ５４の軸心方向に移動可能にかつ雌ねじ５４の軸心周りに回転操作用リング４４と一体回転可能に結合されて雌ねじ５４の軸心上に配設されている。
図２０に示すように、雄ねじ部材４６の突出位置で装脱面５２からの雄ねじ部材４６の先端までの長さは、雄ねじ４６０６が前記機器に設けられた雌ねじに螺合しアクセサリーが前記機器の装脱部に安定した状態で支持されるに足る寸法となる。
雄ねじ部材４６の長さ方向の中間部には、雄ねじ４６０６よりも大径の大径部４６１０が設けられている。本実施の形態では、軸部４６０４の中間部に大径部４６１０が設けられている。
【００２７】
また、図２０に示すように、空間５６の下方のケース４２の箇所に、雄ねじ部材４６の大径部４６１０の雄ねじ４６０６寄りの端部に係止し雄ねじ部材４６の先部が装脱面５２から最も突出した最大突出位置を決定する係止部４２１０が設けられている。
【００２８】
次に、本実施の形態のアクセサリーの使用方法について説明する。
まず、図１８を参照して機器側の装脱部８２にカメラ取り付けねじ８０が設けられている場合について説明する。
この場合は、予め、雄ねじ部材４６を退避位置に位置させておき、その状態で機器用装脱部４８の雌ねじ５４をカメラ取り付けねじ８０の先端に当て付け、その状態でカメラ取り付けねじ８０を一方向に回転させることで、カメラ取り付けねじ８０を雌ねじ５４に螺合する。
これにより、装脱部８２の取り付け面に機器用装脱部４８の装脱面５２が当て付けられ、装脱部８２に機器用装脱部４８が締結される。
これにより、アクセサリーが装脱部８２に取り付けられる。
アクセサリーを装脱部８２から取り外す場合には、カメラ取り付けねじ８０を反対方向へ回転操作することにより、雌ねじ５４からカメラ取り付けねじ８０を外す。これにより、アクセサリーが装脱部８２から取り外される。
【００２９】
次に、図１９を参照して図２に示すアクセサリーシューからなる装脱部２２にアクセサリーを装着する場合について説明する。
この場合は、予め、図１８に示すように、雄ねじ部材４６を退避位置に位置させておき、その状態で、図１９に示すように、装脱部２２と機器用装脱部４８を相対的にスライドさせ、両側の係合面５３２２に装脱部２２の２つの係合板２２Ｃを係合させる。
次いで、回転操作用リング４４を他方向へ回転操作して雄ねじ部材４６の雄ねじ４６０６の先部を装脱面５２から突出する方向に移動させ、雄ねじ４６０６の先部を装脱部２２の底板２２Ａの上面に押圧させる。
これにより、係合板２２Ｃと係合面５３２２とが圧接しアクセサリーが装脱部２２に取り付けられる。
アクセサリーを装脱部２２から取り外す場合には、回転操作用リング４４の一方向への回転操作により、雄ねじ部材４６を退避位置方向に移動させて係合板２２Ｃと係合面５３２２との圧接を解除し、装脱部２２と機器用装脱部４８を相対的にスライドさせ、装脱部２２の係合板２２Ｃから機器用装脱部４８を外せばよい。
【００３０】
次に、図２０を参照して図３、図４に示す装脱部２６にアクセサリーを装着する場合について説明する。
この場合は、予め、図１８に示すように、雄ねじ部材４６を退避位置に位置させておき、あるいは、雄ねじ部材４６をその先端が装脱面５２の近傍に位置するようにしておき、その状態で機器用装脱部４８の装脱面５２を、装脱部２６の上面２６０２に当て付ける。
次いで、回転操作用リング４４を他方向へ回転操作する。これにより、雄ねじ部材４６は突出位置に向けて回転しつつ移動し、雄ねじ４６０６が装脱部２６の雌ねじ２６Ｂに螺合する。さらに、回転操作用リング４４を他方向へ回転操作し、雄ねじ４６０６を回転させることで、上面２６０２と機器用装脱部４８の装脱面５２とを締結する。
詳細には、雄ねじ部材４６の大径部４６１０の雄ねじ４６０６寄りの端部が係止部４２１０に当接することで、大径部４６１０と上面２６０２との間にケース４２の部分が挟持され、これにより上面２６０２と機器用装脱部４８の装脱面５２とが締結される。
このようにしてアクセサリーが装脱部２６に取り付けられる。
アクセサリーを装脱部２６から取り外す場合には、回転操作用リング４４を一方向へ回転操作する。これにより、雄ねじ部材４６は突出位置から退避位置に向けて回転しつつ移動し、雄ねじ４６０６が雌ねじ２６Ｂから外れ、アクセサリーが装脱部２６から取り外される。
【００３１】
このような第２の実施の形態においても、第１の実施の形態と同様に、アクセサリーの装脱作業を簡単化でき、従来のようなアダプターのコストの上昇を抑制し、また、種々のアダプターを紛失しないように管理する手間を省け、アクセサリーの使い勝手を向上する上で有利となる効果が奏される。
【００３２】
なお、実施の形態では、アクセサリーが装着される機器がビデオカメラ、三脚、グリップである場合について説明したが、本発明のアクセサリーが装着される機器はこれに限定されるものではなく、種々の電子機器、例えば、デジタルスチルカメラやフィルム式カメラなどであってもよいことはもちろんである。
【図面の簡単な説明】
【００３３】
【図１】装脱部の一例を示すビデオカメラ１０の斜視図である。
【図２】図１のビデオカメラ１０の装脱部２２の斜視図である。
【図３】装脱部の他の例を示すビデオカメラ２４の斜視図である。
【図４】図３のビデオカメラ２４の装脱部２６の斜視図である。
【図５】装脱部の他の例を示す三脚３０の斜視図である。
【図６】装脱部の他の例を示すグリップ３２の斜視図である。
【図７】アクセサリーがマイクロフォン７０（アクセサリー本体がマイクロフォン７０）でこのマイクロフォン７０が撮像装置２４に装着された状態を示す図である。
【図８】アクセサリーがビデオライト７２（アクセサリー本体がビデオライト７２）でこのビデオライト７２がグリップ３２に装着された状態を示す図である。
【図９】アクセサリー用取り付け具４０の斜視図である。
【図１０】アクセサリー用取り付け具４０の斜視図である。
【図１１】アクセサリー用取り付け具４０の分解斜視図である。
【図１２】雄ねじ部材４６が退避位置にある状態を示すアクセサリー用取り付け具４０の断面図である。
【図１３】雄ねじ部材４６が退避位置と突出位置の中間位置にある状態を示すアクセサリー用取り付け具４０の断面図である。
【図１４】雄ねじ部材４６が突出位置にある状態を示すアクセサリー用取り付け具４０の断面図である。
【図１５】雄ねじ部材４６が退避位置にある状態を示すアクセサリー用取り付け具４０の斜視図である。
【図１６】雄ねじ部材４６が退避位置と突出位置の中間位置にある状態を示すアクセサリー用取り付け具４０の斜視図である。
【図１７】雄ねじ部材４６が突出位置にある状態を示すアクセサリー用取り付け具４０の斜視図である。
【図１８】雄ねじ部材４６が退避位置にある状態を示すアクセサリー用取り付け具４０の断面図である。
【図１９】雄ねじ部材４６が退避位置と突出位置の中間位置にある状態を示すアクセサリー用取り付け具４０の断面図である。
【図２０】雄ねじ部材４６が突出位置にある状態を示すアクセサリー用取り付け具４０の断面図である。
【符号の説明】
【００３４】
４０……アクセサリー用取り付け具、４２……ケース、４４……回転操作用リング、４６……雄ねじ部材、４６０６……雄ねじ、４８……機器用装脱部、５０……アクセサリー取り付け部、５２……装脱面、５４……雌ねじ、５６……空間。
【図１】
2008090255.tif 000003
【図２】
2008090255.tif 000004
【図３】
2008090255.tif 000005
【図４】
2008090255.tif 000006
【図５】
2008090255.tif 000007
【図６】
2008090255.tif 000008
【図７】
2008090255.tif 000009
【図８】
2008090255.tif 000010
【図９】
2008090255.tif 000011
【図１０】
2008090255.tif 000012
【図１１】
2008090255.tif 000013
【図１２】
2008090255.tif 000014
【図１３】
2008090255.tif 000015
【図１４】
2008090255.tif 000016
【図１５】
2008090255.tif 000017
【図１６】
2008090255.tif 000018
【図１７】
2008090255.tif 000019
【図１８】
2008090255.tif 000020
【図１９】
2008090255.tif 000021
【図２０】
2008090255.tif 000022